(57)【特許請求の範囲】
【請求項１】
被照射面または被照射面に設置された被照射体を照らす照明装置であって、
ＣＯＢ型ＬＥＤである第１の光源と、
前記第１の光源からの光を反射するように前記第１の光源の近傍から立設される第１のリフレクタとを備え、
前記第１のリフレクタは、前記第１の光源からの光を反射する第１の反射面、第１の反射面に対向する第２の反射面、第１・第２の反射面の側方に位置する一対の側方反射面を有し、
前記第１の反射面は、前記被照射面から離れた位置に配され、
前記第１の反射面の高さよりも、第２の反射面及び前記一対の側方反射面の高さが１／３以下である、
照明装置。
【請求項２】
前記照明装置はさらに、ＣＯＢ型ＬＥＤである第２の光源と、前記第２の光源からの光を反射するように前記第２の光源の近傍から立設される第２のリフレクタとを備え、
前記第２のリフレクタは、前記第２の光源からの光を反射する第３の反射面、第３の反射面に対向する第４の反射面、第３・第４の反射面の側方に位置する一対の側方反射面を有し、
前記被照射面側の第３の反射面の高さおよび前記第３の反射面に対向する第４の反射面の高さより、一対の側方反射面の高さが１／３以下である、
請求項１記載の照明装置。
【請求項３】
前記第１の反射面は、前記第１の光源から離れるにつれて光軸に対する角度が小さくなるように湾曲する、
請求項１または２記載の照明装置。
【請求項４】
前記照明装置は筐体及び筐体の開口を覆うフードを備え、前記フードは前記照明装置の被照射面側において筐体からの突出が少なくなるように湾曲している、
請求項１から３のいずれか１項に記載の照明装置。
【請求項５】
被照射面または被照射面に設置された被照射体を照らす照明装置であって、
前記第１の光源及びＣＯＢ型ＬＥＤである第２の光源を備え、
前記第１の光源の被照射面と逆の側に前記第１の反射面が設けられ、
前記第２の光源の設置面は、前記反射面の光軸方向高さの１／２以上、前記第１の光源の設置面より光軸延長方向に離れている、
請求項１に記載の照明装置。
【請求項６】
前記被照射面と、前記第１の光源の光軸とのなす角が、前記光軸の延長線が前記被照射面に近づく方向に０度以上４５度以下である、請求項１から５のいずれか１項に記載の照明装置。
【発明の詳細な説明】
【技術分野】
【０００１】
本発明は、照明装置、リフレクタ、およびリフレクタセットに関する。
【背景技術】
【０００２】
照明対象に向けて光を照射する照明装置において、光源の光を照明対象に向けて反射させるリフレクタを使用した技術が知られている（例えば、特許文献１参照）。特許文献１に記載の撮影機器用の照明装置には、光源の周囲を囲む前後方向の反射面の高さと左右方向の反射面の高さが、それぞれ異なるリフレクタが備えられる。これにより、照明対象である撮影領域に均一に光を照射できる旨が記載されている。
【先行技術文献】
【特許文献】
【０００３】
【特許文献１】特開２０１３−１６７２３号公報
【発明の概要】
【発明が解決しようとする課題】
【０００４】
ところで、照明装置は、撮影機器に備えられるものに限らず、路面を照らす街路灯や、壁面に設置された看板を照らす看板灯等にも用いられる。このような、街路灯や看板灯に用いられる照明装置では、照射領域を均一に照らしつつ、広い領域を照らすことが必要となる。このため、光源からの照射光を遠くまで届けつつ、照射ムラを抑える技術が重要となる。
【０００５】
しかしながら、光源からの光を反射により遠くへ伸ばすことのみに着目して、リフレクタを設計すると、光を光軸に向けて、真っ直ぐに遠くまで届かせることができるが、光軸から拡散する光の光量は少なくなる。特に、街路灯や看板灯では、照明装置と照明光の被照射面との接続部（以下、「根元」という）付近に光が届きにくくなり、根元付近が暗くなるという現象が生じる。一方で、照明装置の根元付近を均一に照らすことに着目してリフレクタを設計すると、光軸から拡散する光の光量は増えるが、光軸方向への光量が減少するため、光が遠くまで届かなくなる。
【０００６】
本発明は、このような事情に鑑みなされたものであり、照明装置において、光を遠くまで届かせつつ、照明装置の根元付近も明るく照らすことができる技術を提供することを目的とする。
【課題を解決するための手段】
【０００７】
上記課題を解決するため、本願の第１発明は、被照射面または被照射面に設置された被照射体を照らす照明装置であって、第１の光源と、前記第１の光源からの光を反射するように第１の光源の近傍から立設される第１のリフレクタとを備え、前記第１のリフレクタは、前記第１の光源からの光を反射する反射面を有し、前記被照射面から離れた側の第１の反射面の高さより、前記第１の反射面に対向する第２の反射面の高さが低い。
【発明の効果】
【０００８】
本願の発明によれば、光源からの光を被照射面に向けて効率的に反射させることができ、かつ、照明装置の被照射面への設置部である根元付近へも幅広く光を届けることができる。その結果、光を遠くへと届けつつ、根元付近の暗部が生じることを抑制できる。
【図面の簡単な説明】
【０００９】
【図１】照明装置の上面図である。
【図２】照明装置の断面図である。
【図３】第１のリフレクタの斜視図である。
【図４】リフレクタセットの斜視図である。
【図５】照明装置を被照射面に設置した様子を示した概略図である。
【図６】照明装置を被照射面に設置した様子を示した概略図である。
【図７】リフレクタセットによる光の反射の様子を示す概念図である。
【図８】第２のリフレクタによる光の反射の様子を示す概念図である。
【図９】第１のリフレクタによる光の反射の様子を示す概念図である。
【図１０】リフレクタセットの上面図である。
【図１１】従来の照明装置により被照射面を照らした場合の照度分布を示す図である。
【図１２】本実施形態の照明装置により被照射面を照らした場合の照度分布を示す図である。
【図１３】第１のリフレクタの変形例の斜視図である。
【図１４】照明装置の変形例の断面図である。
【図１５】第２の実施形態に係る照明装置の断面図である。
【図１６】第２の実施形態に係る照明装置を用いて照明した看板の照度分布図である。
【図１７】第３の実施形態に係る照明装置の断面図である。
【発明を実施するための形態】
【００１０】
以下、本発明の好適な実施形態について、図面を参照しつつ説明する。
【００１１】
＜１．照明装置について＞
図１は、本発明の一実施形態に係る照明装置１の上面図である。図２は、図１中のＡ−Ａ位置における照明装置１の断面図である。本実施形態の照明装置１は、被照射面に設置され、被照射面または被照射面に設置された被照射体を照らす照明装置である。照明装置１は、例えば、壁面に設置され、壁面に設置された看板を照らす看板灯に用いられる。図１および図２に示すように、照明装置１は、筐体１０、フード２０、光源３０、基板４０、電力供給部５０、リフレクタセット６０、および取付部７０を有する。
【００１２】
筐体１０は、一面が開口する箱形形状を有する部材である。筐体１０は、略平面である底面部１１および底面部１１の周囲に立設される側壁部１２を有する。
【００１３】
フード２０は、光透過性を有し、筐体１０の開口を覆う部材である。フード２０は側壁部１２に、ねじ等の固定具２１により固定される。本実施形態のフード２０は、底面部１１とは逆方向に向けて凸となるように湾曲している。筐体１０およびフード２０により形成される空間の内部において、基板４０が筐体１０の底面部１１に固定され、基板４０上に光源３０が固定される。これにより、光源３０や基板４０が、風雨や粉塵に曝されることを防止できる。
【００１４】
光源３０は、底面部１１に設置された基板４０上に搭載される。基板４０は、電力供給部５０から供給された電力を制御して光源３０へと送る回路基板である。なお、本実施形態の光源３０にはＬＥＤが採用されている。更に詳しくは、光源３０はＣＯＢ（Ｃｈｉｐ  Ｏｎ  Ｂｏａｒｄ）型ＬＥＤ、つまり、ボード上に設置された多数のＬＥＤチップが封止樹脂によって封止されたＬＥＤである。光源３０としては、特に、ＬＥＤチップからの光と封止樹脂内に含有される蛍光体の発光が合成された光を発光する白色又は電球色ＬＥＤを用いることが好ましい。本実施の形態においては、長方形のボードの中央部に、例えば１６ｍｍ径の封止樹脂による発光領域を有するＣＯＢ型ＬＥＤを用いている。発光領域は円形に限られず、長方形などであってもよく、また、光源３０は、ＣＯＢ型以外のＬＥＤであってもよい。ただし、光源３０は、供給された電力により光を発するものであればよく、例えば、ＬＥＤ以外の光源が採用されてもよい。光源３０から発する光の指向特性は、一般的なＣＯＢ型ＬＥＤと同様、ボード面の法線方向に対して最も強度が高くなる。この最も強度が高くなる方向を光軸方向とする。
【００１５】
本実施形態の照明装置１は、光源３０として、第１の光源３１および第２の光源３２を有する。第１の光源３１および第２の光源３２は、底面部１１の中央付近に配される。また、第２の光源３２は、第１の光源３１よりも取付部７０から離れた位置に配される。第１の光源３１の周囲には、リフレクタセット６０の第１のリフレクタ６１が立設される。第２の光源３２の周囲には、リフレクタセット６０の第２のリフレクタ６２が立設される。リフレクタセット６０の詳細については、後述する。
【００１６】
電力供給部５０は、基板４０に電力を供給するユニットである。本実施形態の電力供給部５０は、取付部７０の内部に収容されている。電力供給部５０は、バッテリー式であってもよく、外部電源と接続されるものであってもよい。電力供給部５０と基板４０とは、配線５１を介して接続されている。電力供給部５０から供給された電力は、配線５１を通して基板４０へと送られる。そして、基板４０を介して電力が光源３１，３２へと供給される。これにより、第１の光源３１および第２の光源３２は、それぞれの光軸である第１の光軸９１および第２の光軸９２を中心として、拡がるように被照射面に向けて光を出射する。
【００１７】
取付部７０は、被照射面に設置され、筐体１０を被取付体である被照射面に対して固定する部材である。取付部７０は、コの字型の枠体と、枠体に固着された中空箱状の部材とを有する。電力供給部５０は、当該箱状の部材の内部に配置される。筐体１０は、取付部７０の被照射面から遠い位置の先端付近において、取付具７１によって接続される。取付具７１は、取付部７０に対して筐体１０を回動自在に軸支する。これにより、筐体１０は、被照射面と離れた位置に固定される。その結果、照明装置１は、被照射面と離れた位置から被照射面を照らすことができる。また、筐体１０を取付具７１に対して回動させることで、筐体１０の被照射面に対する設置角度を調整できる。すなわち、被照射面に対する照明光の照射方向の角度を調整できる。
【００１８】
＜２．リフレクタおよびリフレクタセットについて＞
次に、リフレクタおよびリフレクタセット６０について説明する。
【００１９】
リフレクタは、光源の周囲を囲むように立設され、光源からの光を被照射面に向けて反射させる部材である。図３は、本実施形態に係る第１のリフレクタ６１の斜視図である。第１のリフレクタ６１は、第１の光源３１の周囲に立設され、第１の光源３１からの光を被照射面に向けて反射させる部材である。図３に示すように、第１のリフレクタ６１は、第１の光源３１を囲むように立設される四つの反射面８０Ａを有する。第１のリフレクタ６１は、樹脂成形品であり、少なくとも反射面８０Ａには反射膜が形成されている。当該反射膜は、例えば、Ａｌ（アルミニウム）等の金属めっきや、Ａｌ等の金属の蒸着膜により形成される。ただし、反射膜は、他の手法により形成されるものであってもよい。また、第１のリフレクタ６１は、樹脂以外の他の材料により構成されるものであってもよい。また、四つの反射面８０Ａは、同一部材で構成されてもよく、それぞれ別部材で構成されてもよい。
【００２０】
反射面８０Ａは、第１の反射面８１Ａと、第２の反射面８２Ａと、一対の側方反射面８５Ａとにより構成される。第１の反射面８１Ａは、第２の反射面８２Ａよりも取付部７０から離れた位置に、取付部７０と面するように立設される。第２の反射面８２Ａは、第１の反射面８１Ａよりも高さが低く、第１の反射面８１Ａと対向するように立設される。一対の側方反射面８５Ａは、第１の反射面８１Ａおよび第２の反射面８２Ａの間において、互いに対向するように立設される。
【００２１】
ここで、第２の反射面８２Ａ及び一対の側方反射面８５Ａの形状は、第１の反射面８１Ａより低く、立設する反射面としての作用が小さい限りにおいて任意であり、例えば図１３（a）のように第１の反射面８１Ａと対向しない曲面からなる反射面８６Ａであってもよい。この場合も、前後断面における２つの反射面と左右断面における２つの反射面を含むリフレクタとして扱うこととする。第１の反射面８１Ａの高さは例えば約４０ｍｍである。第２の反射面８２Ａ及び一対の側方反射面８５Ａの高さは例えば３ｍｍであるが、第１の反射面８１Ａの高さの１／３以下であることが好ましく、１／１０以下であることがより好ましく、高さゼロであってもよい。
【００２２】
さらに、図１３（ｂ）に示すように、第１の光源３１を白色の樹脂よりなるＣＯＢホルダ３５で固定し、第１の光源３１からの光を反射する第１の反射面８１Ａ２を第１の光源３１の近傍より立設した構成としてよい。この場合、第２の反射面８２Ａ、一対の側方反射面８５Ａに相当する部材は備えていない。
【００２３】
一対の側方反射面８５Ａの高さを第１の反射面８１Ａの高さより低くする、あるいは一対の側方反射面８５Ａを設けないことにより、光を側方（左右方向）に広げることができる。従って、照明装置１を複数設置して左右に広がった被照射面を照らす場合、複数の照明装置１の左右の設置間隔を広げ、設置数を減らすことができる。
【００２４】
反射面８０Ａに形成される反射膜は鏡面反射膜でもよく、鏡面反射面にファセットやディンプル加工によるわずかな凹凸を施したものでもよい。ファセットやディンプル加工を行うことにより、光線の反射方向は大きくは変わらないが少し拡散し、やや広がりを有するものとなる。
【００２５】
図４は、リフレクタセット６０の斜視図である。リフレクタセット６０は、第１のリフレクタ６１および第２のリフレクタ６２を有する。第２のリフレクタ６２は、第１のリフレクタ６１よりも取付部７０から離れた位置に、第１のリフレクタ６１に対して隣接配置される。第１の光源３１は、第１のリフレクタ６１により周囲を囲まれる。また、第２の光源３２は、第２のリフレクタ６２により周囲を囲まれる。
【００２６】
なお、第１のリフレクタ６１および第２のリフレクタ６２は、同一部材であってもよく、別部材であってもよい。第１のリフレクタ６１および第２のリフレクタ６２を同一部材とすれば、リフレクタセット６０を形成するための金型を、一つとすることができ、加工費用を抑えることができる。また、第１のリフレクタ６１および第２のリフレクタ６２を別部材とすれば、照明装置１のユーザが、照明対象や照明領域に応じて、適宜リフレクタを選択できる。また、第１のリフレクタ６１および第２のリフレクタ６２を別部材とすれば、第１のリフレクタ６１と第２のリフレクタ６２との位置関係を、状況に応じて変更することも可能となる。
【００２７】
第２のリフレクタ６２は、第２の光源３２の周囲を囲むように立設される四つの反射面８０Ｂを有する。第２のリフレクタ６２の表面のうち、少なくとも反射面８０Ｂには、第１のリフレクタと同様に、反射膜が形成されている。反射面８０Ｂは、第３の反射面８３Ｂと、第４の反射面８４Ｂと、一対の側方反射面８５Ｂとにより構成される。第３の反射面８３Ｂは、第４の反射面８４Ｂよりも取付部７０から離れた位置に、取付部７０に面するように立設される。第４の反射面８４Ｂは、第３の反射面８３Ｂと対向するように立設される。一対の側方反射面８５Ｂは、第３の反射面８３Ｂおよび第４の反射面８４Ｂの間において、互いに対向するように立設される。第３の反射面８３Ｂの高さと、第４の反射面８４Ｂの高さとは、一対の反射面８５Ｂの高さよりも高い。なお、本実施形態では、第１の反射面８１Ａ、第３の反射面８３Ｂ、および第４の反射面８４Ｂの高さは略同一である。
【００２８】
図４におけるリフレクタセット６０では、第１の光源３１と第２の光源３２は同一平面上に設置されているが、それに限られない。図１４において、照明装置１Ｂにおける第１の光源３１と第２の光源３２の高さの差Ｈを２ｍｍとした変形例を示す。このように第１の光源３１の設置位置を高くすることにより、被照射面９の根元８側の光線Ｂが筐体１０の取付部７０側に遮られにくくなり、根元８を好適に照射することができる一方、第２の光源３２と第２のリフレクタ６２の位置は変わらないため、フード２０の湾曲の程度は変わらないという効果を奏する。
【００２９】
＜３．リフレクタセットによる効果＞
次に、リフレクタセット６０による効果について説明する。
【００３０】
図５は、本実施形態に係る照明装置１を被照射面９である壁面に設置した様子を、側方から見た概略図である。図５において、照明装置１は、反射板について説明する都合上、図２と同様に一部断面図で示している。図６は、本実施形態に係る照明装置１の、壁面に設置した様子を、正面から見た概略図である。
【００３１】
以下では、照明装置１と被照射面９との接続部付近を根元８として説明する。また、照明装置１から被照射面９に向けて、第１の光源３１の第１の光軸９１および第２の光源３２の第２の光軸９２に平行で、かつ被照射面９に向かう方向を「下方」として説明する。また、図６に示すように、光軸９１，９２と垂直に交差し、被照射面９と平行な方向を「側方」として説明する。また、光軸９１，９２および側方と垂直に交差し、被照射面９に向かう方向を「前方」と、前方とは逆の方向を「後方」として説明する。なお、照明装置１は、筐体１０が被照射面から６００ｍｍ程度離れるように設置されている。また、照明装置１は、図５に示すように、光源３１、３２の発光面が水平方向からα（一例として５度）傾斜するよう筐体１０が傾けられている。
【００３２】
上述したとおり、第１の光源３１および第２の光源３２に電力が供給されると、第１の光源３１および第２の光源３２から、それぞれ第１の光軸９１および第２の光軸９２を中心に拡がるように光が出射される。そして、第１の光源３１および第２の光源３２から出射された光の一部は、第１のリフレクタ６１および第２のリフレクタ６２によって反射する。
【００３３】
図７は、側方から見たときの、リフレクタセット６０により光が反射する様子を示す図である。第２の光源３２から出射される光のうち、４つの反射面８０Ｂに入射しない光Ｌ１Ｂは、第２の光源３２から被照射面９に向けて真っ直ぐに進む（図５におけるＬ１Ｂ）。また、第２の光源３２から下方かつ前方または後方に進む光のうち、第３の反射面８３Ｂおよび第４の反射面８４Ｂに入射する光Ｌ２Ｂは、反射されることによって被照射面９に向けて進む（図５におけるＬ２Ｂ）。このため、第２の光源３２から出射される光は、第３の反射面８３Ｂおよび第４の反射面８４Ｂにより被照射面９に向けて効率的に反射される。その結果、第２の光源３２からの光を被照射面９の遠い位置まで届かせることができる。
【００３４】
一方で、第１の光源３１から出射される光のうち、４つの反射面８０Ａに入射しない光Ｌ１Ａは、第１の光源３１から被照射面９に向けて真っ直ぐに進む（図５  Ｌ１Ａ参照）。また、第１の光源３１から下方かつ前方または後方に進む光のうち、第１の反射面８１Ａまたは第２の反射面８２Ａに入射する光Ｌ２Ａは、反射されることによって被照射面９に向けて進む（図５  Ｌ２Ａ参照）。ここで、第２の反射面８２Ａの高さは、第１の反射面８１Ａの高さよりも低いため、第１の光源３１から下方かつ前方に進む光の多くは、反射されず下方かつ前方に真っ直ぐ進む。このため、第１の光源３１から出射される光は前方へと広がる。このように、本実施形態の照明装置１では、下方に向けて光を遠くへと届かせつつ、前方に向けて光を広げることができる。
【００３５】
また、本実施形態の第１のリフレクタ６１および第２のリフレクタ６２の反射面８０Ａ，８０Ｂは、光源３１，３２から離れるにつれて光軸９１，９２に対する角度が小さくなるように湾曲する。これにより、反射面８０Ａ，８０Ｂに入射した光を下方に向けて効率的に反射できる。なお、反射面８０Ａ，８０Ｂの湾曲面は、光源３１，３２付近を焦点とする放物線状の曲面であることが好ましい。これにより、反射面８０Ａ，８０Ｂに入射した光を下方に向けてより効率的に反射できる。
【００３６】
また、図２に示すように、反射面８０Ａ，８０Ｂのうち、少なくとも第１の反射面８１Ａ、第３の反射面８３Ｂ、および第４の反射面８４Ｂの先端は、筐体１０よりもフード２０側に向けて突出している。これにより、第１の光源３１および第２の光源３２から出射される光が筐体１０の内周部に遮られることを抑制できる。その結果、第１の光源３１および第２の光源３２から出射された光を、被照射面９のより広い範囲に照射することができる。
【００３７】
これに伴い、フード２０のＡ−Ａ断面における形状は、後方（第２のリフレクタ６２側）で高く、前方（第１のリフレクタ６１側）で低い非対称の形状としている。これにより、図５において、光Ｌ２Ａ，Ｌ２Ｂが通る部分のフード２０の表面に対する法線がやや前方（看板側）を向くため、やや後方から見た場合のフード２０の眩しさが低減するとともに、美的に優れた形状となる。
【００３８】
図８は、図４のＢ１−Ｂ２断面の前方から見た、第２のリフレクタ６２による光の反射する様子を示す図である。図９は、図４のＡ１−Ａ２断面の前方から見た、第１のリフレクタ６１による光の反射する様子を示す図である。本実施形態では、第１のリフレクタ６１の一対の側方反射面８５Ａは、第１の反射面８１Ａよりも高さが低い。また、第２のリフレクタ６２の一対の側方反射面８５Ｂは、第３の反射面８３Ｂおよび第４の反射面８４Ｂよりも高さが低い。このため、第１の光源３１および第２の光源３２から出射される光は、一対の側方反射面８５Ａ，８５Ｂにより反射されにくく、そのまま下方かつ側方に進む。このため、照明装置１から側方に向けて幅広く光を照らすことができる。
【００３９】
また、本実施形態では、第１のリフレクタ６１の一対の側方反射面８５Ａの高さは、第２のリフレクタ６２の一対の側方反射面８５Ｂの高さよりも低い。このため、第１の光源３１から下方かつ側方に向かう光Ｌ３Ａは、第２の光源３２から下方かつ側方に向かう光Ｌ３Ｂよりも多くなる。したがって、照明装置１の前方かつ側方により光を広げることができる。その結果、照明装置１の根元８付近を照らす光のムラを抑制することができる。
【００４０】
図１０は、リフレクタセット６０を下方から見た図である。図１０に示すように、第１の光源３１および第２の光源３２を通り前後方向に延びる直線と、第１の光源３１の中心から第１の反射面８１Ａの側方端部に向けて延びる直線との角度をθとする。角度θは、大きすぎると第１の反射面８１Ａに遮られる光の量が多くなり、被照射面９において光のムラが生じやすくなる。一方、角度θは、小さすぎると前方へ反射する光の量が少なくなる。光のムラを抑制しつつ、前方へ光を効率よく反射させるために、角度θは、例えば、４０度〜６０度とすることが好ましい。また、第１の光源３１および第２の光源３２を通り前後方向に延びる直線と、第２の光源３２の中心から第３の反射面８３Ｂの側方端部に向けて延びる直線との角度θについても、同様に、４０度〜６０度とすることが好ましい。
【００４１】
図１１は、従来の照明装置１ａを被照射面９ａに沿って水平に四つ配列し、被照射面９ａを照らした場合における照度分布を、グレースケールにて概念的に示す図である。図１２は、本実施形態の照明装置１を被照射面９に沿って水平に四つ配列し、被照射面９を照らした場合における、照明光の照度分布を、グレースケールにて概念的に示す図である。図１１および図１２中の破線は、同じ照度を結んだ等照度曲線であり、それらの破線付近に示した数字が照度（単位：ｌｘ）を示す。図１１および図１２では、白色に近いほど照明光の照度が高いことを示し、黒色に近いほど照明光の照度が低いことを示している。また、図１１および図１２の、１点鎖線で囲う領域Ａａ，Ａは、照明装置１ａ，１の根元付近を示す。また、図１１および図１２中のＤａおよびＤは、照明装置１ａ，１からの照明光の照度が高い領域Ｂａ，Ｂの上下方向の距離を示す。また、図１１および図１２中のＷａおよびＷは、照明装置１ａ，１からの照明光の照度が高い領域Ｂａ，Ｂの水平方向の距離を示す。
【００４２】
図１１および図１２に示すように、従来の照明装置１ａの根元付近Ａａでは、暗部が多いのに対して、本実施形態の根元付近Ａでは、暗部が少なくなっていることが分かる。また、ＤａとＤとを比較すると、Ｄの方がＤａよりも長いことが分かる。すなわち、従来の照明装置１ａによる照明光の照度が高い領域Ｂａよりも、本実施形態の照明装置１による照明光の照度が高い領域Ｂの方が、より遠方まで広がっていることが分かる。また、ＷａとＷとを比較すると、Ｗの方がＷａよりも長いことが分かる。すなわち、従来の照明装置１ａによる照明光の照度が高い領域Ｂａよりも、本実施形態の照明装置１による照明光の照度が高い領域Ｂの方が、より側方に広がっていることが分かる。このように、本実施形態の照明装置１により、被照射面９の根元付近に暗部が生じることを抑制でき、さらに遠方および側方にも光を広く届けることができる。
【００４３】
＜第１のリフレクタだけを備えた例＞
図１５は、本発明の第２の実施形態に係る照明装置１０１の断面図である。本実施形態の照明装置１０１は、筐体１１０、フード１２０、光源１３１、電力供給部１５０、リフレクタ１８０、補助反射板１８４および取付部１７０を有する。電力供給部１５０は筐体１１０内部に搭載されている。補助反射板１８４は光源１３１から直接光が届かない位置にあるが、筐体１１０の内部の散乱光を外部に出す働きを備える。
【００４４】
リフレクタ１８０を構成する第１の反射面１８１及び第２の反射面１８２は、それぞれ第１の反射面８１Ａ及び第２の反射面８２Ａと同じく、第１の反射面が高く第２の反射面が低い形状である。また、第１の反射面１８１は、光源１３１から離れるにつれて光軸１９１に対する角度が小さくなるように湾曲する。光源１３１が１個であるので、筐体１１０の前後の幅が筐体１０より小さくなっている。
【００４５】
図１６は、照明装置１０１（全光束は２３００ｌｍ、色温度４０００Ｋ）を看板灯として用いた場合の看板面の照度分布である。照明装置１０１を４個用い、１．８ｍ間隔に並べ、看板面から０．６ｍ離している。また看板灯の光軸は真下より看板灯側に角度１０°傾けている。これにより、看板面での照度が１０ｌｘ以上の領域が上下方向６ｍ幅までとれる看板灯が得られる。
【００４６】
ここで、本照明装置の光軸と、被照射面である看板の面との角度は、前記光軸の延長線が前記被照射面に近づく方向に１０度としたが、本照明装置を被照射面の一端側に設置して被照射面を広く照らすという観点で、この角度は０度以上４５度以下が好ましく、２度以上３０度以下がより好ましく、５度以上２０度以下がさらに好ましい。
【００４７】
＜第１の反射面と光源の組を２つ備えた例＞
図１７は、本発明の第３の実施形態に係る照明装置２０１の断面図である。本実施形態の照明装置２０１は、筐体２１０に、光源３１と同じ２つの光源２３１，２３６及び各光源の後方に反射面８１Ａと同じ反射面２８１Ａ、２８６Ａを備え、フード２２０で覆っている。後方の光源２３６から発する光が前方の反射面２８１Ａに遮られないよう、光源２３６の設置面が光源２３１の設置面に対して光軸延長方向に高さＶだけ、つまり反射面２８１Ａの高さだけ離れている。なお、高さＶは、反射面２８１Ａの光軸方向の高さの１／２以上あると、一旦反射面２８６Ａで反射された光が遮られることなく被照射面に届く割合が高いため好ましい。照明装置２０１は、光軸Ｘ方向が被照射面９の下側に向くように設置される。
【００４８】
＜４．変形例＞
以上、本発明の主たる実施形態について説明したが、本発明は、上記の実施形態に限定されるものではない。
【００４９】
上記の実施形態では、照明装置は、壁面に設置された看板を照らす看板灯であった。しかしながら、本発明の照明装置は、これに限定されない。照明装置は、被照射面を照らすものであればよく、例えば、被照射面を路面として、路面を照らす街路灯に用いられるものであってもよい。
【００５０】
また、上記の実施形態では、照明装置は、被照射面自体に設置されていた。しかしながら、本発明の照明装置はこれに限定されない。本発明の照明装置は、被照射面と離れた位置から、被照射面を照らす態様であればよい。例えば、照明装置は、被照射面に固定された他の部材に対して設置されるものであってもよい。
【００５１】
また、上記の実施形態では、照明装置の光源は、第１の光源および第２の光源の二つの光源により構成されていた。また、第１の光源および第２の光源の周囲には、第１のリフレクタおよび第２のリフレクタが立設されていた。しかしながら、本発明はこれに限られない。照明装置の光源は、三つ以上の光源により構成されていてもよく、それぞれの光源の周囲に第１リフレクタまたは第２リフレクタが立設されていてもよい。このように、照明装置の光源およびリフレクタは、根元を照らす配光のものと、遠くを照らす配光のものがセットであれば足りる。
【００５２】
また、上記の実施形態の第１のリフレクタおよび第２のリフレクタは、それぞれ一対の側方反射面を有していた。しかしながら、光源からの光を側方に広げることができれば、一対の側方反射面の高さはそれぞれ異なるものであってもよい。また、一対の側方反射面を省略してもよい。
【００５３】
また、上記の実施形態の第１の光源と第２の光源が前後になるように１列に並んでいたが、複数列に並べても良く、例えば４個の光源を左右２列に並べてもよい。
【００５４】
また、上記の各実施形態や変形例に登場した各要素を、矛盾が生じない範囲で、任意に組み合わせてもよい。
【００５５】
＜５．発明の抽出＞
上記の実施形態および変形例から抽出される発明として、例えば、以下の発明を挙げることができる。
【００５６】
第１発明は、被照射面または被照射面に設置された被照射体を照らす照明装置であって、第１の光源と、前記第１の光源からの光を反射するように第１の光源の近傍から立設される第１のリフレクタとを備え、前記第１のリフレクタは、前記第１の光源からの光を反射する反射面を有し、被照射面側から離れた位置に配される第１の反射面の高さより、前記第１の反射面に対向する第２の反射面の高さが低い。
【００５７】
第２発明は、第１発明の照明装置であって、第２の光源と、前記第２の光源からの光を反射するように第２の光源の近傍から立設される第２のリフレクタとを備え、前記第２のリフレクタは、前記第２の光源からの光を反射する複数の反射面を有し、前記第２のリフレクタが有する前記複数の反射面において、前記被照射面側の第３の反射面の高さ及び前記第３の反射面に対向する第４の反射面の高さより、他の反射面の高さが低い。
【００５８】
第３発明は、第１又は２発明の照明装置であって、前記第１の反射面は、前記第１の光源から離れるにつれて光軸に対する角度が小さくなるように湾曲する。
【００５９】
第４発明は、第２発明の照明装置であって、前記第１および第２のリフレクタは、それぞれ前記複数の反射面として４つの反射面を有し、前記第１のリフレクタにおける前記第１の反射面以外の反射面の高さは、前記第２のリフレクタにおける前記第３および第４の反射面以外の反射面の高さよりも低い。
【００６０】
第５発明は、第１ないし第４発明のいずれか１つの照明装置であって、筐体及び筐体の開口を覆うフードを備え、前記フードは前記照明装置の被照射面側において筐体からの突出が少なくなるように湾曲している。
【００６１】
第６発明は、被照射面または被照射面に設置された被照射体を照らすための第１発明の照明装置であって、第１の光源及び第２の光源を備え、第１の光源の被照射面と逆の側に第１の反射面が設けられ、第２の光源の設置面は、前記反射面の光軸方向高さの１／２以上、第１の光源の設置面より光軸延長方向に離れている。
【００６２】
第７発明は、第１から第６発明のいずれかの照明装置であって、前記第２の反射面の、第１の反射面の高さに対する比が、１／３以下である。
【００６３】
第８発明は、第１から第７発明のいずれかの照明装置であって、前記第１の光源の光軸と前記被照射面のなす角が、前記光軸の延長線が前記被照射面に近づく方向に０度以上４５度以下である。
【００６４】
第９発明は、第１の光源と、前記第１の光源よりも取付部から離れた位置に配される第２の光源とを備え、前記取付部により被取付体に取付けられる照明装置に用いられるリフレクタセットであって、前記第１の光源を囲むように立設される第１のリフレクタと、前記第２の光源を囲むように立設される第２のリフレクタとを備え、前記第１のリフレクタは、前記第１の光源からの光を反射する複数の反射面を有し、前記複数の反射面において、前記取付部から離れた位置に配される第１の反射面の高さよりも、前記第１の反射面に対向する第２の反射面の高さが低い。
【００６５】
第１０発明は、取付部により被取付体に取付けられ、光源を備えた照明装置に用いられるリフレクタであって、前記光源を囲むように立設され、前記光源からの光を反射する複数の反射面を有し、前記複数の反射面において、前記取付部から離れた位置に配される第１の反射面の高さよりも、前記第１の反射面に対向する第２の反射面の高さが低い。
【００６６】
第１発明〜第１０発明によれば、光源からの光を被照射面に向けて効率的に反射させることができ、かつ、照明装置の被照射面への設置部である根元付近へも幅広く光を届けることができる。その結果、光を遠くへと届けつつ、根元付近の暗部が生じることを抑制できる。
【００６７】
特に、第２発明および第３発明によれば、光源からの光を被照射面に向けてより効率的に反射させることができる。その結果、光源からの光をより遠くへと届けることができる。
【００６８】
特に、第２発明および第４発明によれば、光源からの光を側方に向けて広げることができる。
【符号の説明】
【００６９】
１、１０１、２０１  照明装置
８  根元
９  被照射面
１０、１１０  筐体
１１  底面部
１２  側壁部
１３  内部空間
２０、１２０、２２０  フード
３０  光源
３１、１３１  第１の光源
３２  第２の光源
３５  ＣＯＢホルダ
４０  基板
４１  光透過性樹脂
５０、１５０  電力供給部
５１  配線
６０  リフレクタセット
６１  第１のリフレクタ
６２  第２のリフレクタ
７０、１７０  取付部
７１  取付具
８０Ａ，８０Ｂ  反射面
８１Ａ、１８１  第１の反射面
８２Ａ、１８２  第２の反射面
８３Ｂ  第３の反射面
８４Ｂ  第４の反射面
【図１】
0006553668.tif 000002
【図２】
0006553668.tif 000003
【図３】
0006553668.tif 000004
【図４】
0006553668.tif 000005
【図５】
0006553668.tif 000006
【図６】
0006553668.tif 000007
【図７】
0006553668.tif 000008
【図８】
0006553668.tif 000009
【図９】
0006553668.tif 000010
【図１０】
0006553668.tif 000011
【図１１】
0006553668.tif 000012
【図１２】
0006553668.tif 000013
【図１３】
0006553668.tif 000014
【図１４】
0006553668.tif 000015
【図１５】
0006553668.tif 000016
【図１６】
0006553668.tif 000017
【図１７】
0006553668.tif 000018